(57)【要約】【課題】  本発明は、転送方向に所定の混合画素単位数で情報電荷を混合する固体撮像素子においても、スミア電荷量を算出して情報電荷量を算出することができるスミア除去回路を提供することを目的とする。【解決手段】  減算器１１は、第１の画像データＳ１（ｎ）からスミアデータＴ２（ｎ）を減算し、第２の画像データＳ２（ｎ）を出力する。加算器１２は、第２の画像データＳ２（ｎ）とラインメモリ１３からの累加算データＴ１（ｎ）とを加算し、ラインメモリ１３に供給する。係数発生部１６は、固体撮像素子の各受光ビットでの露光時間Ｔｓ及び混合画素単位数ｍによって決定される所定の係数ｍ・ｋを発生し、乗算器１４に供給する。乗算器１４は、ラインメモリ１３から読み出される累加算データＴ１（ｎ）に対し、所定の係数ｍ・ｋを乗算してスミア成分を表すスミアデータＴ２（ｎ）を生成する。【選択図】  図１
2005303687.tif 000002
【特許請求の範囲】
【請求項１】
複数の受光ビットが行方向及び列方向に配列された受光部を有する固体撮像素子から、各受光ビットに蓄積される情報電荷を垂直方向に転送すると共に、情報電荷を転送方向に隣接する画素で所定の混合画素単位数毎に混合した後、１行ずつ順次水平方向に転送出力して得られる画像信号に対し、情報電荷の垂直方向の転送過程で混入するスミア成分を除去するスミア除去回路において、
前記固体撮像素子の各受光ビットに蓄積された情報電荷量から情報電荷の露光時間と情報電荷の垂直方向への転送周期及び前記混合画素単位数との比に基づいて推定した各受光ビット毎のスミア電荷量を情報電荷の垂直転送経路にある受光ビットの分だけ累加算し、前記固体撮像素子の各受光ビットに蓄積される情報電荷を転送出力して得られる出力電荷量を表す１行単位で連続する第１の画像データから前記累加算値を個々に差し引いて第２の画像データを得ることを特徴とするスミア除去回路。
【請求項２】
請求項１に記載のスミア除去回路において、
前記混合画素単位数は撮影状況に応じて切り換えられることを特徴とするスミア除去回路。
【請求項３】
請求項１〜２のいずれか１項に記載のスミア除去回路において、
前記第１の画像データからスミアデータを減算して第２の画像データを生成する減算器と、この減算器から出力される前記第２の画像データを各列毎に第１行目から順次累加算しながら１行分の累加算データを記憶するラインメモリと、このラインメモリから読み出される前記累加算データに前記固体撮像素子の各受光ビットでの情報電荷の露光時間及び情報電荷の垂直方向への転送周期に応じて決定される係数を乗算して前記スミアデータを生成する乗算回路と、を有することを特徴とするスミア除去回路。
【請求項４】
請求項３に記載のスミア除去回路において、
前記固体撮像素子の各受光ビットでの情報電荷の露光時間及び混合画素単位数に基づいて所定の係数を発生するスミア係数発生部を含むことを特徴とするスミア除去回路。
【発明の詳細な説明】
【技術分野】
【０００１】
本発明は、固体撮像素子から取り出される画像信号に対して、固体撮像素子の垂直転送動作に起因して発生するスミアを除去するようにしたスミア除去回路に関する。
【背景技術】
【０００２】
固体撮像素子を用いた撮像装置においては、固体撮像素子の露光状態を最適に保つように露光制御手段が設けられる。この露光制御手段としては、固体撮像素子に入射する光量を被写体の輝度に応じて制御する機械的な絞り機構や、固体撮像素子の露光時間を被写体の輝度に応じて伸縮制御する、いわゆる電子シャッタなどが知られている。
【０００３】
図５は、フレーム転送方式のＣＣＤ固体撮像素子を用いた撮像装置の構成を示すブロック図である。
【０００４】
固体撮像素子１は、撮像部１ｉ、蓄積部１ｓ、水平転送部１ｈ及び出力部１ｄより構成される。撮像部１ｉ及び蓄積部１ｓは、互いに平行に配列される垂直（列）方向に連続する複数のシフトレジスタからなる。撮像部１ｉのシフトレジスタの各ビットが複数の受光ビットを形成して受光部をなし、各受光ビットに被写体映像に対応して発生する情報電荷を蓄積する。設定された露光時間が経過すると、撮像部１ｉから蓄積部１ｓへ垂直方向にフレーム転送が行われる。蓄積部１ｓは遮光膜で覆われ、光の入射による電荷発生を防止されるので、フレーム転送された撮像部１ｉからの信号電荷をそのまま保持することができる。水平転送部１ｈは、蓄積部１ｓの複数のシフトレジスタの各出力がそれぞれ各ビットに接続される単一のシフトレジスタからなり、蓄積部１ｓに蓄積される１画面分の情報電荷を１行単位で受け取り、順次水平（行）方向に転送して出力する。そして、出力部１ｄは、電気的に独立した容量及びその容量の電位変化を取り出すアンプからなり、水平転送部１ｈから出力される情報電荷を１ビット単位で容量に受けて電圧値に変換し、画像信号Ｙ０（ｔ）として出力する。
【０００５】
アナログ信号処理回路２は、固体撮像素子１から出力される画像信号Ｙ０（ｔ）を取り込み、サンプルホールド、ＡＧＣ（自動利得制御）等の処理を施し、所定のフォーマットに従う画像信号Ｙ１（ｔ）として出力する。Ａ／Ｄ変換回路３は、アナログ信号処理回路２から出力される画像信号Ｙ１（ｔ）をアナログ信号処理回路２の処理動作（固体撮像素子１の出力動作）に同期してデジタルデータに変換し、固体撮像素子１の各受光ビットに対応した画像データＤ１（ｎ）を生成する。そして、デジタル信号処理回路４は、画像データＤ１（ｎ）を取り込み、輪郭補正や１画面単位での積分処理、さらに、カラー撮像の場合には、色バランスの制御やフィルタリング等の処理を施し、新たな画像データＤ２（ｎ）として出力する。この画像データＤ２（ｎ）は、Ｄ／Ａ変換回路によりアナログ値に変換されて表示装置に転送されるか、あるいは、そのまま記録媒体に記録される。
【０００６】
フレーム転送方式の固体撮像素子１においては、撮像部１ｉの各受光ビットに蓄積される情報電荷を蓄積部１ｓの蓄積ビットまで転送する際、光を受けて常に電荷を発生している受光ビットを通過させている。このため、受光ビット内を転送される過程で、不要な電荷、即ち、スミア電荷が情報電荷に混入し、再生画面上にスミアを発生させている。例えば、図６に示すように、撮像部１ｉの一部に明るいスポット光があたっている場合、各受光ビットに蓄積される情報電荷を蓄積部１ｓの蓄積ビットへ転送する際、スポット光のあたっている部分を通過して転送される情報電荷に多量のスミア電荷が混入することになる。これによって、固体撮像素子１から得られる画像信号を表示する再生画面上では、明るい被写体の下の位置にスミアが発生し易くなる。
【０００７】
図７は、従来のスミア除去回路の構成を示すブロック図である。尚、このスミア除去回路は、固体撮像素子の撮像部の各受光ビットに蓄積される情報電荷量をデジタルの画像データとして演算処理するものであり、図５に示す撮像装置において、デジタル信号処理回路４の入力側に付加される。
【０００８】
スミア除去回路３０は、固体撮像素子での垂直転送の時間差によって発生するスミア成分を除去する。即ち、固体撮像素子の各受光ビットに蓄積される情報電荷の転送経路の差に起因して発生するスミア成分を除去するためにスミア除去回路が設けられる。
【０００９】
スミア除去回路３０は、減算器１１、加算器１２、ラインメモリ１３、乗算器１４及び係数発生部３６により構成される。減算器１１は、１行単位で連続して入力される第１の画像データＳ１（ｎ）からスミアデータＴ２（ｎ）を減算し、スミア成分を含まない第２の画像データＳ２（ｎ）として出力する。加算器１２は、減算器１１から出力される第２の画像データＳ２（ｎ）とラインメモリ１３から読み出される累加算データＴ１（ｎ）とを加算し、その加算データをラインメモリ１３に供給する。ラインメモリ１３は、１画面分の第１の画像データＳ１（ｎ）の入力が完了する毎にリセットされ、加算器１２から入力される加算データを１行毎に記憶する。これにより、加算器１２では１画面の第２の画像データＳ２（ｎ）が各列で累加算され、ラインメモリ１３には累加算データＴ１（ｎ）が記憶されることになる。
【００１０】
乗算器１４は、ラインメモリ１３から読み出される累加算データＴ１（ｎ）に対し、露光時間Ｔｓによって決定される所定の係数ｋを乗算してスミア成分を表すスミアデータＴ２（ｎ）を生成する。そして、係数発生部３６は、固体撮像素子の露光状態を表す露光時間Ｔｓに応答し、固体撮像素子の各受光ビットでの露光時間に対応した係数ｋを発生し、乗算器１４に供給する。
【００１１】
このようなスミア除去回路３０によれば、固体撮像素子の各受光ビットに蓄積される情報電荷が１行ずつ垂直方向に転送される毎に各受光ビットから混入されるスミア電荷が順次累加算される。そして、その累加算値によって情報電荷が転送される過程で混入するスミア成分が表されるため、この値を第１の画像データＳ１（ｎ）から減算することによりスミア成分を除去できる。
【００１２】
係数発生回路３６は、フレーム毎に露光時間Ｔｓが入力され、少なくとも１垂直走査期間の間同一データが保持され、その間は同一の係数ｋが設定される。
【００１３】
続いて、スミア除去回路３０でのスミア除去の原理を説明する。
【００１４】
図８は、スミア除去回路３０によるスミア除去の原理を説明する図で、固体撮像素子の受光ビットの各行毎の出力電荷量Ｖi,jを示す。尚、この図においては、各受光ビットが受ける光の量が全て均一である場合を示している。
【００１５】
フレーム転送方式の固体撮像素子の場合、ｉ行ｊ列の受光ビットから得られる出力電荷量Ｖi,jは、受光ビットの単位時間あたりの蓄積電荷量をＥi,j（ｔ）とすると、式１によって与えられる。
【００１６】
【数１】
2005303687.tif 000003
【００１７】
ここで、ｔ１及びｔ２は、各受光ビットにおける情報電荷の露光開始時刻及び露光終了時刻であり、Δｔは、各受光ビットに蓄積された情報電荷がフレーム転送時に１つの受光ビットを通過するのに要する時間である。この式１で、右辺の第１項は、所定の露光時間Ｔｓ（＝ｔ２−ｔ１）中に１つの受光ビットに蓄積される情報電荷量を示し、第２項は、１つの受光ビットに蓄積された情報電荷が撮像部から蓄積部までフレーム転送される過程で混入するスミア電荷量を示している。即ち、受光ビットの単位時間あたりの蓄積電荷量Ｅi,j（ｔ）を時刻ｔ１から時刻ｔ２まで積分した値によって各受光ビットに蓄積される情報電荷量が表される。そして、単位時間あたりの蓄積電荷量Ｅi,j（ｔ）をΔｔの分だけ積分した値によってフレーム転送時に情報電荷が１つの受光ビットを通過する間にその受光ビットで発生する電荷量が表され、この積分値を転送経路にある受光ビットの分だけ加算した値によってスミア電荷量が表される。
【００１８】
ここで、時刻ｔ１から時刻ｔ２まで、さらには、時刻ｔ２＋ｎΔｔまでの時間が短く、その間の入射光量が変化しないと仮定すると、受光ビットの単位時間あたりの蓄積電荷量Ｅi,j（ｔ）を一定値（この値をＥi,jとする）とすることができ、式１の計算結果は式２となる。
【００１９】
【数２】
2005303687.tif 000004
【００２０】
さらに、時刻ｔ１から時刻ｔ２までの間に各受光ビットに蓄積される情報電荷量、即ち、Ｔｓ・Ｅi,jをＳi,jに置き換えると、式２は式３に変形される。
【００２１】
【数３】
2005303687.tif 000005
【００２２】
従って、各受光ビットに真に蓄積される情報電荷量Ｓi,jは、式４によって与えられることになる。
【００２３】
【数４】
2005303687.tif 000006
【００２４】
即ち、固体撮像素子の各受光ビットから得られる出力電荷量Ｖi,jからスミア電荷量を差し引いた値が各受光ビットに蓄積される情報電荷量Ｓi,jとなる。
【００２５】
スミア除去回路３０は、上述の式４の演算を実行するものであり、加算器１２及びラインメモリ１３の組み合わせによって右辺第２項のΣ演算が実行され、乗算器１４によって右辺第２項の係数ｋの乗算が実行される。そして、乗算器１４から取り出される演算結果を減算器１１によって右辺第１項に相当する第１の画像データＳ１（ｎ）から減算することにより式４の演算が完了することになる。従って、固体撮像素子で情報電荷の垂直転送に起因して発生するスミア成分は、除去されることになる。
【特許文献１】特許第３１５７４５５号公報
【発明の開示】
【発明が解決しようとする課題】
【００２６】
近年、デジタルカメラやその他のカメラ機能付きの携帯端末等において、固体撮像素子の画素数の向上は、プレビュー用のモニタの画素数の向上に比べて著しくなっている。そのため、メモリ等の記録媒体に画像を記録する際には、固体撮像素子の画素数に応じた高解像度の画像を撮影するが、プレビュー時にはプレビューモニタの画素数に応じた少ない画素数での撮影で十分である。また、プレビュー時には消費電力を抑制するためフラッシュ撮影は行わないことが多い。このような状況の下、夜間あるいは屋内での撮影など被写体が暗い場合には、各画素に蓄積される情報電荷量が少ないため、それら情報電荷を隣接する画素間で混合することが行われる。
【００２７】
図９は、撮像部１ｉと蓄積部１ｓの境界部分における転送方向の模式的な断面図及びポテンシャル図の一例であり、撮像部１ｉと蓄積部１ｓの境界部分で情報電荷を混合する固体撮像素子である。タイミングＴ０（Ｔ９）からＴ８までを繰り返すことで、撮像部１ｉの各転送電極には３相のフレーム転送クロックφf1〜φf3が印加され、蓄積部１ｓの各転送電極には３相の垂直転送クロックφv1〜φv3が印加されて、それぞれチャネル領域内のポテンシャルの制御が行われる。ここで、垂直転送クロックφv1〜φv3については、フレーム転送クロックφf1〜φf3に対して周期を３倍に設定しており、これにより情報電荷を撮像部から蓄積部へ転送する過程で、転送方向に隣接する混合画素単位数３毎に情報電荷を混合すると共に画素数の間引きを行っている。
【００２８】
また、図１０は、撮像部１ｉと蓄積部１ｓの境界部分における転送方向の模式的な断面図及びポテンシャル図の他の一例であり、撮像部１ｉと蓄積部１ｓの境界部分で情報電荷を混合する固体撮像素子である。タイミングＴ０（Ｔ９）からＴ８までを繰り返すことで、撮像部１ｉの各転送電極には３相のフレーム転送クロックφf1〜φf3が印加され、蓄積部１ｓの各転送電極には３相の垂直転送クロックφv1〜φv3が印加されて、それぞれチャネル領域内のポテンシャルの制御が行われる。ここでも、垂直転送クロックφv1〜φv3については、フレーム転送クロックφf1〜φf3に対して周期を３倍に設定しており、これにより情報電荷を撮像部から蓄積部へ転送する過程で、転送方向に隣接する混合画素単位数３毎に情報電荷を混合すると共に画素数の間引きを行っている。ただし、混合画素単位である３画素のうち中央の１画素の情報電荷は、タイミングＴ４において基板側に排出している。このようなポテンシャル制御により、図１１のようないわゆるモザイク型カラーフィルタ配置の場合に、同一色の情報電荷のみ混合することができる。
従来は、固体撮像素子の各受光ビットから得られる１ビット毎の出力電荷量Ｖi,ｊからスミア電荷量を順次差し引いて情報電荷量Ｓi,jを算出していたため、上記のように転送方向に隣接する画素の情報電荷を混合する場合には、スミア電荷量を算出できず情報電荷量を算出できないという問題があった。
【００２９】
本発明は、上記問題点を解決することを目的とし、転送方向に所定の混合画素単位数で情報電荷を混合する固体撮像素子においても、スミア電荷量を算出して情報電荷量を算出することができるスミア除去回路を提供することを目的とする。
【課題を解決するための手段】
【００３０】
本発明は、複数の受光ビットが行方向及び列方向に配列された受光部を有する固体撮像素子から、各受光ビットに蓄積される情報電荷を垂直方向に転送すると共に、情報電荷を転送方向に隣接する画素で所定の混合画素単位数毎に混合した後、１行ずつ順次水平方向に転送出力して得られる画像信号に対し、情報電荷の垂直方向の転送過程で混入するスミア成分を除去するスミア除去回路において、前記固体撮像素子の各受光ビットに蓄積された情報電荷量から情報電荷の露光時間と情報電荷の垂直方向への転送周期及び前記混合画素単位数との比に基づいて推定した各受光ビット毎のスミア電荷量を情報電荷の垂直転送経路にある受光ビットの分だけ累加算し、前記固体撮像素子の各受光ビットに蓄積される情報電荷を転送出力して得られる出力電荷量を表す１行単位で連続する第１の画像データから前記累加算値を個々に差し引いて第２の画像データを得ることを特徴とする。
【発明の効果】
【００３１】
本発明によれば、各受光ビットに蓄積される情報電荷を転送方向に隣接する画素で所定の混合画素単位数で混合する固体撮像素子において、垂直方向に転送する過程で発生するスミア成分をスミア除去回路によって算出することができ、その算出結果を出力電荷量から順次差し引くことで、スミア成分を効率よく除去することができる。従って、撮影状態に合わせて、固体撮像素子の情報電荷を転送方向に隣接する画素で所定の混合画素単位数で混合しても、スミア成分の除去が可能になり、あらゆる状況において最適な映像を再生することができる。
【発明を実施するための最良の形態】
【００３２】
図１は、本発明のスミア除去回路の構成を示すブロック図である。尚、このスミア除去回路は、固体撮像素子の撮像部の各受光ビットに蓄積される情報電荷量をデジタルの画像データとして演算処理するものである。
【００３３】
スミア除去回路１０は、固体撮像素子での垂直転送の時間差によって発生するスミア成分を除去する。即ち、固体撮像素子の各受光ビットに蓄積される情報電荷の転送経路の差に起因して発生するスミア成分を除去するためにスミア除去回路が設けられる。
【００３４】
スミア除去回路１０は、減算器１１、加算器１２、ラインメモリ１３、乗算器１４及び係数発生部１６により構成される。従来のスミア除去回路３０と相違する点は、乗算器１４は、ラインメモリ１３から読み出される累加算データＴ１（ｎ）に対し、露光時間Ｔｓ及び混合画素単位数ｍによって決定される所定の係数ｍ・ｋを乗算してスミア成分を表すスミアデータＴ２（ｎ）を生成する。係数発生部１６は、固体撮像素子の各受光ビットでの露光時間Ｔｓ及び混合画素単位数ｍによって決定される所定の係数ｍ・ｋを発生し、乗算器１４に供給する。
【００３５】
このようなスミア除去回路１０によれば、固体撮像素子の各受光ビットに蓄積される情報電荷が１行ずつ垂直方向に転送される毎に各受光ビットから混入されるスミア電荷の量が順次累加算される。そして、その累加算値によって情報電荷が転送される過程で混入するスミア成分が表されるため、この値を第１の画像データＳ１（ｎ）から減算することによりスミア成分を除去した第２の画像データＳ２（ｎ）を得ることができる。
【００３６】
係数発生回路１６は、フレーム毎に露光時間Ｔｓ及び混合画素単位数ｍが入力され、少なくとも１垂直走査期間の間同一データが保持され、その間は同一の係数ｍ・ｋが設定される。
【００３７】
続いて、スミア除去回路１０でのスミア除去の原理を説明する。
【００３８】
図２は、図９のように転送方向に隣接する混合画素単位数３毎に情報電荷を混合する固体撮像素子におけるスミア除去回路１０によるスミア除去の原理を説明する図である。固体撮像素子の受光ビットの情報電荷量Ｓi,jを３画素混合した行毎の出力電荷量Ｖi,jを示す。尚、この図においては、各受光ビットが受ける光の量が全て均一である場合を示している。
各受光ビットに蓄積された情報電荷がフレーム転送時に１つの受光ビットを通過するのに要する時間Δｔとし、露光時及びフレーム転送時にその間の入射光量が変化しないと仮定すると、式３に基づき式５によって与えられる。
【００３９】
【数５】
2005303687.tif 000007
【００４０】
ここで、右辺第３項及び第４項は、混合した混合画素単位内における後発の２画素の情報電荷が同一の混合画素単位内の受光ビットを転送により通過する時に蓄積される電荷であるため、スミア電荷とは言えず、むしろ情報電荷といって良い。そのため、右辺第３項及び第４項は無視できるので、式５は式６のように変形される。
【００４１】
【数６】
2005303687.tif 000008
【００４２】
従って、式６の右辺第１項を、情報電荷が混合される混合画素単位の受光ビットに真に蓄積される情報電荷量Ｗi,jと置き換えると、Ｗi,jは式７によって与えられることになる。
【００４３】
【数７】
2005303687.tif 000009
【００４４】
図３は、図１０のように転送方向に隣接する３画素の中央の１画素の情報電荷を排出して混合画素単位数３毎に情報電荷を混合する固体撮像素子におけるスミア除去回路１０によるスミア除去の原理を説明する図である。固体撮像素子の受光ビットの情報電荷量Ｓi,jを転送方向に隣接する画素で混合画素単位数３毎に混合した行毎の出力電荷量Ｖi,jを示す。尚、この図においては、各受光ビットが受ける光の量が全て均一である場合を示している。
【００４５】
各受光ビットに蓄積された情報電荷がフレーム転送時に１つの受光ビットを通過するのに要する時間Δｔとし、露光時及びフレーム転送時にその間の入射光量が変化しないと仮定すると、式３に基づき式８によって与えられる。
【００４６】
【数８】
2005303687.tif 000010
【００４７】
ここで、右辺第３項及び第４項は、情報電荷を混合した混合画素単位のうち最後発の１画素の情報電荷が同一の混合画素単位の受光ビットを転送により通過する時に蓄積される電荷であるため、スミア電荷とは言えず、むしろ情報電荷といって良い。そのため、右辺第３項及び第４項は無視できるので、式８は式９のように変形される。
【００４８】
【数９】
2005303687.tif 000011
【００４９】
式９の右辺第１項を、情報電荷が混合される混合画素単位の受光ビットに真に蓄積される情報電荷量Ｗi,jと置き換え、情報電荷を混合する混合画素単位の中央の画素で発生する情報電荷は、両端の画素で発生する情報電荷の平均値に等しいとすると、式９は式１０のように変形できる。
【００５０】
【数１０】
2005303687.tif 000012
【００５１】
結局、情報電荷量Ｗi,jは式７と同様の演算で算出できる。一般的に混合画素単位数をｍとすると、情報電荷が混合される混合画素単位の受光ビットに真に蓄積される情報電荷量Ｗi,jは、式１１で与えられる。
【００５２】
【数１１】
2005303687.tif 000013
【００５３】
スミア除去回路１０は、上述の式１１の演算を実行するものであり、加算器１２及びラインメモリ１３の組み合わせによって右辺第２項のΣ演算が実行され、乗算器１４によって右辺第２項の係数ｍ・ｋの乗算が実行される。そして、乗算器１４から取り出される演算結果を減算器１１によって右辺第１項に相当する第１の画像データＳ１（ｎ）から減算することにより式８の演算が完了することになる。従って、各受光ビットに蓄積される情報電荷を転送方向に隣接する画素で所定の混合画素単位数で混合する固体撮像素子においても、本発明により情報電荷の垂直転送に起因して発生するスミア成分は、除去されることになる。
なお、転送方向に隣接する画素での情報電荷の混合はプレビュー時などに行うものであり、メモリ等の記録媒体に画像を記録する際には固体撮像素子の画素数に応じた高解像度の画像を撮影するため行われない。よって、本発明における混合画素単位数ｍは１以上である自然数が、撮影状況に応じて係数発生部に入力される。
また、上記の実施形態では、転送方向に隣接する画素での情報電荷の混合は、撮像部１ｉと蓄積部１ｓの境界部分で行っていたが、これに限らず蓄積部１ｓ内のいずれか、または蓄積部１ｓと水平転送部１ｈの境界部分で行っても良い。
【００５４】
以上のような固体撮像素子のスミア電荷量の算出方法は、フレーム転送方式の固体撮像素子の他、情報電荷読み出し用のシフトレジスタが各受光ビットに隣接して配置されるインターライン方式の固体撮像素子にも適用することができる。
【００５５】
【数１２】
2005303687.tif 000014
【００５６】
ここでａは、各受光ビットからシフトレジスタ部への電荷の漏れ込みの割合を表す係数であり、１未満の定数で表される。
【００５７】
インターライン方式の固体撮像素子の場合、各受光ビットに蓄積された情報電荷は、遮光されたシフトレジスタ内へ直接転送されるため、フレーム転送方式の固体撮像素子のように、各受光ビットに発生する電荷がそのままスミア電荷となることはない。しかしながら、受光ビットに隣接して配置されるシフトレジスタに、各受光ビットから転送された情報電荷を一時的に蓄積するようにしているため、次画面の情報電荷を蓄積している受光ビットから漏れ出した情報電荷の一部がスミア電荷となって情報電荷に混入する。この混入の度合いは、各受光ビットに入射される光の強度に比例しており、その比例係数をａとして表している。この係数ａの値は、固体撮像素子の構造や受光ビットに入射する光の波長によって異なるため、実際の撮像によって得られる出力をモニタしながら最適値を決定することが好ましい。
この式１２によって得られる出力電荷量は、フレーム転送方式の固体撮像素子の場合と同様に、スミア成分については、図４におけるスミア除去回路２０により除去される。このとき、係数発生回路２６はａを乗じた係数ａ・ｍ・ｋを出力する。
【図面の簡単な説明】
【００５８】
【図１】本発明のスミア除去回路の構成を示すブロック図である。
【図２】転送方向に混合画素単位数３毎に情報電荷を混合する固体撮像素子におけるスミア除去の原理を説明する図である。
【図３】転送方向に混合画素単位３数毎に情報電荷を混合する固体撮像素子におけるスミア除去の原理を説明する図である。
【図４】本発明のスミア除去回路の他の構成を示すブロック図である。
【図５】フレーム転送方式のＣＣＤ固体撮像素子を用いた撮像装置の構成を示すブロック図である。
【図６】フレーム転送方式の固体撮像素子に発生するスミアの状態を表す図である。
【図７】従来のスミア除去回路の構成を示すブロック図である。
【図８】従来のスミア除去回路によるスミア除去の原理を説明する図である。
【図９】転送方向に混合画素単位数３毎に情報電荷を混合する固体撮像素子の模式的な断面図及びポテンシャル図の一例である。
【図１０】転送方向に混合画素単位数３毎に情報電荷を混合する固体撮像素子の模式的な断面図及びポテンシャル図の一例である。
【図１１】モザイク型カラーフィルタの配置を説明する図である。
【符号の説明】
【００５９】
１  固体撮像素子
１ｉ  撮像部
１ｓ  蓄積部
１ｈ  水平転送部
１ｄ  出力部
２  アナログ信号処理回路
３  Ａ／Ｄ変換回路
４  デジタル信号処理回路
１０  スミア除去回路
１１  減算器
１２  加算器
１３  ラインメモリ
１４  乗算器
１６  係数発生部
２０  スミア除去回路
２６  係数発生部
３０  スミア除去回路
３６  係数発生部
【図１】
2005303687.tif 000015
【図２】
2005303687.tif 000016
【図３】
2005303687.tif 000017
【図４】
2005303687.tif 000018
【図５】
2005303687.tif 000019
【図６】
2005303687.tif 000020
【図７】
2005303687.tif 000021
【図８】
2005303687.tif 000022
【図９】
2005303687.tif 000023
【図１０】
2005303687.tif 000024
【図１１】
2005303687.tif 000025